(57)【要約】【課題】耐摩耗性を有する低コストな掛け金構造を容易にメンテナンスできる無線機端末の筐体を提供すること。【解決手段】無線機端末１の筐体１０は、無線機端末１に電力を供給するバッテリ１４を保持するようにバッテリ１４に対して掛け金を施す。筐体１０は、バッテリ１４を収容するバッテリーケース１６と、バッテリーケース１６に収容されたバッテリ１４が筐体１０に配設されるように、バッテリーケース１６に対して掛け金を施す掛け金構造１８と、を具備している。掛け金構造１８は、バッテリーケース１６に収容されたバッテリ１４に対向するように、筐体１０に着脱自在に配設される板部２０とを有している。【選択図】  図１Ｂ
2010212082.tif 000002
【特許請求の範囲】
【請求項１】
無線機端末に電力を供給するバッテリを保持するように前記バッテリに対して掛け金を施す無線機端末の筐体であって、
前記バッテリを収容するバッテリーケースと、
前記バッテリーケースに収容された前記バッテリが前記筐体に配設されるように、前記バッテリーケースに対して掛け金を施す掛け金構造と、
を具備し、
前記掛け金構造は、
前記バッテリーケースに収容された前記バッテリに対向するように、前記筐体に着脱自在に配設される板部と、
を有していることを特徴とする無線機端末の筐体。
【発明の詳細な説明】
【技術分野】
【０００１】
本発明は、無線機端末のバッテリーケースに対して掛け金（ラッチ）を施す無線機端末の筐体に関する。
【背景技術】
【０００２】
一般に携帯型で無線を用いる無線機端末は、例えば業務用に用いられ、屋外、または屋外に準ずる環境にて使用される。そのため無線機端末には、摩耗や水などに耐えるといったような様々な耐環境性能（例えば耐食性と防水性と堅牢性）が求められている。
【０００３】
このような無線機端末は、バッテリを収容するバッテリーケースを着脱自在に配設（収容）することで使用される。バッテリーケースが無線機端末に着脱自在に収容されるため、無線機端末にはバッテリーケースを無線機端末に掛け金（ラッチ）する掛け金構造が配設されている。
【０００４】
バッテリーケースは、バッテリーケースが無線機端末に着脱するたびに、この掛け金構造に繰り返し当接するために、破損しにくい堅牢性を有している。
【０００５】
また掛け金構造には、バッテリーケースが無線機端末に着脱するたびに、バッテリーケースが掛け金構造に繰り返し当接するために、当接による擦れに対する耐摩耗性が求められている。
【０００６】
例えば図２Ａに示すように、無線機端末１００の筐体１１０は、軽量化のために例えばアルミダイキャスト材によって製造されている。また筐体１１０は例えば黒色に塗装されており、筐体１１０の外観は耐摩耗性の高い表面処理を施されることで形成されている。このような筐体１１０は、例えばニッケルメッキなどの高い耐摩耗性部材によって表面処理されて耐摩耗性を有し、さらに防水性と堅牢性とを有している。
【０００７】
ここで例えば業務用の無線機端末１００は、屋外、または屋外に準ずる環境にて使用されることが多い。そのとき無線機端末１００は、雨などの水に濡れ、また操作者の手から落ち水中に落ちてしまう虞が生じる。このような水による影響と、筐体１１０の母材の金属である例えばアルミダイキャスト材と、筐体１１０の表面処理との関係によっては、無線機端末１００に電食の虞が生じる。
【０００８】
電食を防止するために、筐体１１０にはクリア塗装が施され、筐体１１０の表面はコーティングされる。これにより筐体１１０は、耐食性を確保することができる。
【０００９】
図２Ａと図２Ｂとに示すように、筐体１１０には、各種のデータを処理する図示しない電気回路を搭載する基板１１２と、無線機端末１００に電力を供給するバッテリ１１４を収容するバッテリーケース１１６と、バッテリーケース１１６に収容されたバッテリ１１４が筐体１１０に配設されるように、バッテリーケース１１６を無線機端末１００に掛け金（ラッチ）する掛け金構造１１８とが配設されている。
【００１０】
バッテリーケース１１６には、基板１１２と電気的に接触し、バッテリーケース１１６を筐体１１０に引っ掛ける硬質な例えば金具１２６が配設されている。バッテリーケース１１６と金具１２６とは、一体である。
【００１１】
図２Ｂ（ｂ）に示すように掛け金構造１１８は、筐体１１０に配設され、金具１２６と当接する当接部１１８ａを有している。掛け金構造１１８と当接部１１８ａとは、筐体１１０と一体である。当接部１１８ａは、金具１２６と当接し、バッテリーケース１１６を筐体１１０に引っ掛ける。このとき、基板１１２とバッテリ１１４は、バッテリーケース１１６と金具１２６と当接部１１８ａとを介して電気的に接続する。当接部１１８ａは、筐体１１０と一体であり、そのため筐体１１０と同じアルミダイキャスト材である。
【００１２】
この当接部１１８ａは、バッテリーケース１１６が筐体１１０（無線機端末１００）に対して着脱するたびに、金具１２６によって擦れてしまう。そのため当接部１１８ａは、耐摩耗性を有する必要が生じる。
【００１３】
よって当接部１１８ａは例えばニッケルメッキなどの高い耐摩耗性部材によって表面処理され、表面の硬度が確保され、耐摩耗性が維持されている。
【００１４】
例えば特許文献１には、携帯用電子機器の電池パック固定構造に於いて、部品点数を減少させ、さらに組立が簡単に行える様にしようとする携帯用電子機器の電池パック固定構造が開示されている。
【００１５】
また例えば特許文献２には、携帯無線機のバッテリーパック固定機構において、携帯無線機の小型化、薄型化に伴うバッテリーパックの嵌合部の強度劣化を防止する携帯無線機のバッテリーパック固定機構が開示されている。
【先行技術文献】
【特許文献】
【００１６】
【特許文献１】特開平７−１４２０４５号公報
【特許文献２】特開平９−２５９８４９号公報
【発明の概要】
【発明が解決しようとする課題】
【００１７】
掛け金構造１１８である当接部１１８ａは、耐摩耗性部材によって耐摩耗性を確保しているが、筐体１１０と一体であるために高コストになってしまう。
【００１８】
また当接部１１８ａが耐摩耗性を維持できても、バッテリーケース１１６が筐体１１０に対して着脱するたびに、当接部１１８ａは結果的に擦れて摩耗してしまう。当接部１１８ａが摩耗すると、当接部１１８ａが筐体１１０と一体であるために、筐体１１０が使用できなくなってしまう虞が生じる。また当接部１１８ａが摩耗した際に、当接部１１８ａは筐体１１０と一体であるために、当接部１１８ａのみの交換はできず、また当接部１１８ａのメンテナンスは容易ではない。そのためメンテナンスの効率は低下してしまう。
【００１９】
そのため本発明は、上記事情に鑑み、耐摩耗性を有する低コストな掛け金構造を容易にメンテナンスできる無線機端末の筐体を提供することを目的とする。
【課題を解決するための手段】
【００２０】
本発明は目的を達成するために、前記無線機端末に電力を供給するバッテリを保持するように前記バッテリに対して掛け金を施す無線機端末の筐体であって、前記バッテリを収容するバッテリーケースと、前記バッテリーケースに収容された前記バッテリが前記筐体に配設されるように、前記バッテリーケースに対して掛け金を施す掛け金構造と、を具備し、前記掛け金構造は、前記バッテリーケースに収容された前記バッテリに対向するように、前記筐体に着脱自在に配設される板部と、を有していることを特徴とする無線機端末の筐体を提供する。
【００２１】
また本発明は目的を達成するために、前記掛け金構造は、前記板部を前記筐体に固定する固定部材を有していることを特徴とする上記に記載の無線機端末の筐体を提供する。
【発明の効果】
【００２２】
本発明によれば、耐摩耗性を有する低コストな掛け金構造を容易にメンテナンスできる無線機端末の筐体を提供することができる。
【図面の簡単な説明】
【００２３】
【図１Ａ】図１Ａは、無線機端末の筐体構造の概略図である。
【図１Ｂ】図１Ｂ（ａ）は、バッテリーケースを取り外した状態の図１Ａに示すＡの部分の斜視図である。図１Ｂ（ｂ）は、図１Ａに示すＡの部分の拡大図である。
【図２Ａ】図２Ａは、従来の無線機端末の筐体構造の概略図である。
【図２Ｂ】図２Ｂ（ａ）は、バッテリーケースを取り外した状態の図２Ａに示すＢの部分の周辺の斜視図である。図２Ｂ（ｂ）は、図２Ａに示すＢの部分の拡大図である。
【発明を実施するための形態】
【００２４】
以下、図１Ａと図１Ｂとを参照して本発明の実施形態について詳細に説明する。なお図示の簡略化のために、図１Ｂ（ｂ）ではネジ２２とナット２４との図示を省略している。
【００２５】
図１Ａに示すように無線機端末１は、携帯型であり、無線を用い、例えば業務用に用いられ、屋外、または屋外に準ずる環境にて使用される。無線機端末１の筐体１０は、例えば樹脂や金属鋳造によって形成される。筐体１０は、略密閉構造である。筐体１０は、無線機端末１（基板１２）に電力を供給するバッテリ１４を保持するように、バッテリ１４に対して掛け金（ラッチ）を施す。
【００２６】
図１Ａと図１Ｂとに示すように、筐体１０は、各種のデータを処理する図示しない電気回路を搭載する基板１２と、基板１２の前面側に配設され、バッテリ１４を収容するバッテリーケース１６と、バッテリーケース１６に収容されたバッテリ１４が筐体１０に配設されるように、バッテリーケース１６に対して掛け金（ラッチ）を施す掛け金構造１８とを有している。
【００２７】
バッテリーケース１６は、バッテリーケース１６が筐体１０（無線機端末１）に着脱するたびに、この掛け金構造１８に繰り返し当接するために、破損しにくい堅牢性を有している。
【００２８】
図１Ｂに示すように掛け金構造１８は、筐体１０とは別体である。掛け金構造１８は、バッテリーケース１６を無線機端末１に掛け金（ラッチ）する。掛け金構造１８は、バッテリーケース１６に収容されたバッテリ１４に対向するように、筐体１０に着脱自在に配設される板部２０と、板部２０を筐体１０に固定するネジ２２と、筐体１０の開口部１７に着脱自在に配設され、ネジ２２と係合するナット２４とを有している。
【００２９】
ネジ２２とナット２４とは、板部２０を筐体１０に固定する固定部材である。
【００３０】
板部２０は、バッテリーケース１６が無線機端末１に収容されるたびに、後述する金具２６と当接する。板部２０は、筐体１０とは別体である。そのために板部２０は、金具２６と当接し摩耗した際に、ネジ２２とナット２４との係合を解除することで、交換可能である。
【００３１】
板部２０は、例えばＳＵＳ材といった金属製の硬質部材である。また板部２０は、耐食性を有しており、また硬質クロムメッキなどによって表面処理を施され、高い耐摩耗性を有している。板部２０は、バッテリーケース１６と金具２６とを介してバッテリ１４と電気的に接続し、バッテリ１４に充填されている電力を無線機端末１（基板１２）に供給する。
【００３２】
バッテリーケース１６には、板部２０を介して基板１２と電気的に接触し、バッテリーケース１６を筐体１０に引っ掛ける金具２６が配設されている。
【００３３】
次に本実施形態の動作方法について説明する。  
ナット２４が開口部１７に配設される。次に板部２０がバッテリーケース１６の上方に配置され、ネジ２２が板部２０を貫通しナット２４と係合すると、板部２０がバッテリーケース１６の上方に配設される。
【００３４】
バッテリ１４がバッテリーケース１６に収容された後、金具２６が板部２０と当接することで、バッテリーケース１６は板部２０によって筐体１０に引っ掛けられる。
【００３５】
バッテリーケース１６が筐体１０に繰り返し収容、または外され、金具２６が板部２０との当接から摩耗した場合、ネジ２２とナットの２４との係合を解除し、板部２０が交換される。もちろん板部２０は、交換のみならずメンテナンスしてもよい。
【００３６】
このように本実施形態では、板部２０において、硬質部材とし、耐食性を確保でき、表面処理によって耐摩耗性とを確保することができる。また本実施形態では、筐体１０と掛け金構造１８とを別体とし、板部２０が摩耗した際に、ネジ２２とナット２４との係合を解除することによって、板部２０を容易に交換できまたメンテナンスできる。
【００３７】
また本実施形態では、板部２０以外に不必要に耐摩耗性を確保する必要がなく、板部２０にクリア塗装も不要であるために、筐体１０を低コスト且つ高品質にすることができる。
【００３８】
また本実施形態では、筐体１０と掛け金構造１８とを別体とすることで、それぞれ分けて管理することができ、筐体１０と掛け金構造１８とを一体にするよりも製作工数を削減でき、品質を向上することができる。
【００３９】
また本実施形態では、金具２６を金属製の硬質部材とし、筐体１０と掛け金構造１８とは別体であるために耐摩耗性部材によって掛け金構造１８（板部２０）のみを表面処理することができ、筐体１０全体を表面処理する必要はないために、低コストにすることができる。
【００４０】
また図２Ａと図２Ｂとにおいて、掛け金構造１１８（当接部１１８ａ）が耐食性を確保する場合、掛け金構造１１８とが一体である筐体１１０も耐食性を確保することとなる。この場合、掛け金構造１１８を含む筐体１１０全体にクリア塗装を施し、筐体１１０の表面をコーティングする必要がある。この作業は、製作工程が多岐にわたり、筐体１１０が高価になってしまう。またこのような作業工程では、筐体１１０の品質を保持するために、管理箇所が増加し、管理のための作業が増加し、管理のための手間が掛かってしまう。
【００４１】
しかしながら、本実施形態では、板部２０以外に不必要に耐食性を確保する必要がなく、板部２０のみに作業と管理を行えばよい。そのため本実施形態では、筐体１０全体に上述した作業と管理が不要であるために、筐体１０を低コスト且つ製作工程を削減でき、管理の手間を省くことができる。また本実施形態では、板部２０に耐食性の作業と管理を行っているために、高品質にすることがでる。
【００４２】
また図２Ａに示す筐体１１０はアルミダイキャスト材によって製造されているために、筐体１１０と一体である掛け金構造１１８もアルミダイキャスト材で製造されている。そのため掛け金構造１１８の表面強度（耐摩耗性）は、必ずしも十分ではない。
【００４３】
しかしながら本実施形態では、掛け金構造１８（板部２０）は、筐体１０とは別体であり、ＳＵＳ材といった金属製の硬質部材であるために、十分な耐摩耗性を容易に確保することができる。
【００４４】
なお本実施形態では、筐体１０は、摩耗や水などに耐えるために、耐摩耗性と防水性と堅牢性と耐食性とを有していてもよい。
【００４５】
なお本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【符号の説明】
【００４６】
１…無線機端末、１０…筐体、１２…基板、１４…バッテリ、１６…バッテリーケース、１７…開口部、１８…掛け金構造、２０…板部、２２…ネジ、２４…ナット、２６…金具。
【図１Ａ】
2010212082.tif 000003
【図１Ｂ】
2010212082.tif 000004
【図２Ａ】
2010212082.tif 000005
【図２Ｂ】
2010212082.tif 000006